(57)【要約】【課題】各種電子機器に搭載されるカード接続用スロットにおいて、異なる規格の通信信号を省スペースかつ安価に接続することを目的とする。【解決手段】電子機器装置１に搭載される、第１の規格に従うメモリカードＡ２を接続するためのメモリカードスロット１７において、メモリカードＡ２では未使用の信号線を使用することにより、第１の規格に従うメモリカードＡ２との接続の代わりに第３の規格に従うシリアル通信を用いて通信用カードアダプタ４経由でパーソナルコンピュータ５との通信をすることが実現可能となる。【選択図】  図１
2004289752.tif 000002
【特許請求の範囲】
【請求項１】
所定の第１の規格に従うカードが接続可能なカードスロットを搭載する電子機器装置であって、前記カードスロットは第１の規格に従うだけでなく、第１の規格で未使用になっている信号線を利用して接続する第３の規格に従う通信ポートを含むことを特徴とする電子機器装置。
【請求項２】
所定の第１の規格に従うカードが接続可能なカードスロットを搭載する電子機器装置であって、前記カードスロットは第１の規格に従うだけでなく、前記第１の規格の上位互換性を有する第２の規格に従うカード、及び第３の規格に従う通信用信号が接続でき、第１の規格で未使用になっている信号線を利用して接続する第３の規格に従う信号線と第２の規格に従うために第１の規格に拡張した信号線とを切り換えるスイッチを有することを特徴としている電子機器装置。
【請求項３】
所定の第１の規格に従うカードが接続可能なカードスロットを搭載する電子機器装置であって、第１の規格で未使用になっている信号線を第３の規格に従う通信ポートとして使用するか否かを切り換えるスイッチを有することを特徴としている請求項１、２に記載の電子機器装置。
【請求項４】
所定の第１の規格に従う信号線と、第３の規格に従う通信用信号線とを独立に制御することにより、第１の規格に従うカードと、第３の規格に従う通信ポートとの双方を同時に使用することを特徴とする請求項１〜３に記載の電子機器装置。
【請求項５】
所定の第３の規格に従う通信ポートの使用を電子機器装置側の設定により制御することを特徴とする請求項１〜４に記載の電子機器装置。
【請求項６】
所定の第１の規格、及び前記第１の規格の上位互換性を有する第２の規格に従う信号線と、第３の規格に従う通信用信号線を有するカードであって、第２の規格に従うだけでなく、第１の規格では未使用になっている信号線を利用して接続する第３の規格に従う信号線と、第２の規格に従うために第１の規格に拡張した信号線とを切り換えるスイッチを有することにより、請求項１〜５に記載の電子機器装置への接続を実現するカード。
【請求項７】
所定の第３の規格に従う通信用カードアダプタであって、第１の規格、及び前記第１の規格の上位互換性を有する第２の規格に従う形状を有することにより、請求項１〜５に記載の電子機器装置への接続を実現する通信用カードアダプタ。
【請求項８】
所定の第３の規格に従う通信ケーブルであって、第１の規格、及び前記第１の規格の上位互換性を有する第２の規格に従う形状のコネクタを有することにより、請求項１〜５に記載の電子機器装置への接続を実現する通信ケーブル。
【請求項９】
所定の第１の規格には、ＭｕｌｔｉＭｅｄｉａＣａｒｄが包含されることを特徴とする請求項１〜８に記載の電子機器装置及びシステム。
【請求項１０】
所定の第２の規格には、ＳＤＭｅｍｏｒｙＣａｒｄが包含されることを特徴とする請求項２〜８に記載の電子機器装置及びシステム。
【発明の詳細な説明】
【０００１】
【発明の属する技術分野】
本発明は、パーソナルコンピュータ等の情報処理装置を、メモリカードスロットなどのカードスロットを備えたデジタル放送用セットトップボックスやデジタル放送用テレビなどを代表とするデジタル電子機器装置に接続させるための技術に関するものである。
【０００２】
【従来の技術】
近年のノート型パーソナルコンピュータに代表される情報処理装置には、通常ＰＣカードスロットが備えられており、このＰＣカードスロットにＰＣカードを装着することにより、メモリの拡張や外部機器（プリンタや各種ネットワーク、など）との接続といった様々な機能拡張を図ると同時に、外部機器との接続に用いる専用のポート（コネクタ）数を削減している（例えば、特許文献１参照）。図５は特許文献１に記載された従来の情報処理装置の構成を示すものであり、情報処理装置５１、ＣＰＵ５２、ＰＣカードコントローラ５３、シリアルコントローラ５４、スイッチ５５、ＰＣカードスロット５６、ＰＣカード５７、通信用カードアダプタ５８から構成されている。
【０００３】
図５において、情報処理装置５１内に外部機器と信号をやりとりするためのＰＣカードコントローラ５３とシリアルコントローラ５４といった異なるコントローラを搭載させ、そのうちの一つをＰＣカードスロット５６に接続されたカードの種類に応じて切り換え、接続させることにより、情報処理装置５１に様々な外部機器を接続することが可能になる。
【０００４】
ＰＣカードスロット５６のピン数は、ＰＣカードＴｙｐｅＩＩの規格の場合は６８ピンであり、接続されるＰＣカードの種類に応じてそれぞれに対応するコントローラとの接続を切り換える際にピン数が不足することは回避される。
【０００５】
【特許文献１】
特開２００１−２７３２４１号公報
【０００６】
【発明が解決しようとする課題】
しかしながら、ノート型パーソナルコンピュータに代表される情報処理装置では一般的にＰＣカードスロットを搭載しているが、デジタル放送用セットトップボックスなどを代表とするデジタル電子機器装置にＰＣカードスロットを搭載するとなると、物理的に大きくなる、コストが高くなるといった背景からＰＣカードスロットを搭載する場合は少なく、上記従来の構成では、デジタル電子機器装置への展開ができないという課題があった。
【０００７】
一方、デジタル電子機器装置には、一般的にピン数が１０ピン以下で切手サイズの半導体メモリカードを接続するメモリカードスロットを搭載し、一般ユーザー用途の各種機能に加え、デジタル電子機器装置内部のプログラムやデータなどをアップデートするサービスマン専用用途にも使用するのが通常である。
【０００８】
また、デジタル電子機器装置は、特定の通信規格に従う専用の通信ポート（コネクタ）を搭載し、設計開発時、製造時、アフターサービス時に外部からパーソナルコンピュータに代表される情報処理装置からデジタル電子機器装置内のＣＰＵを制御しプログラムの実行、解析を行うのが通常である。しかし、前記通信ポートを電子機器装置外部端子として設ける場合には、物理的な大きさやコスト面の不具合、ユーザーの誤操作による危険があり、また前記通信ポートを電子機器装置内部に設ける場合には、プログラムの実行、解析時に電子機器装置の筐体を開梱し通信ケーブルを接続する必要が発生し、通信ポートを使用するに当たって作業性を悪化させてしまうという課題があった。
【０００９】
このように、従来の構成では、デジタル放送用セットトップに代表されるデジタル電子機器装置に展開するに当たり、物理的な大きさ、コスト、作業性に課題が生じていた。
【００１０】
【課題を解決するための手段】
本発明は前記従来の課題及び事情に着目してなされた発明であり、請求項第１記載の発明は、所定の第１の規格に従うカードが接続可能なメモリカードスロットにおいて、第１の規格に従う信号と、第１の規格では未使用の信号線を利用した第３の規格に従う通信信号とを接続可能にしたメモリカードスロットを搭載した電子機器装置であり、本構成により、ピン数の少ない既存のメモリカードスロットに、異なる規格の通信ポートが拡張可能な電子機器装置を実現することができる。また、電子機器内外部への専用の通信ポートを搭載する必要がなくなり、ユーザーによる誤動作の防止と作業性の向上も可能となる。
【００１１】
前記従来の課題及び事情に着目して、請求項第２記載の発明は、所定の第１の規格、及び第１の規格の上位互換性を有する所定の第２の規格に従うメモリカードスロットにおいて、第１の規格の上位互換性を有するために第２の規格に拡張された信号線と、第３の規格に従う通信信号とを切り換えるスイッチを有したメモリカードスロットを搭載した電子機器装置であり、本構成により、ピン数の少ない既存のメモリカードスロットに、異なる規格の通信ポートが拡張可能な電子機器装置を実現することができる。また、電子機器内外部への専用の通信ポートを搭載する必要がなくなり、ユーザーによる誤動作の防止と作業性の向上も可能となる。
【００１２】
前記従来の課題及び事情に着目して、請求項第３記載の発明は、請求項１、２記載の本発明において、所定の第３の規格に従う通信信号線を使用するか否かを切り換えるスイッチを備えた電子機器装置であり、本構成により、一般ユーザー用途の機能と独立して、サービスマン用途の機能拡張を実現することが可能となる。
【００１３】
前記従来の課題及び事情に着目して、請求項第４記載の発明は、請求項１〜３記載の本発明において、所定の第１の規格に従う信号線と、第１の規格では未使用の信号線を利用した第３の規格に従う通信信号線とを独立に制御することが可能な電子機器装置であり、本構成により、第１の規格に従うカードと第３の規格に従う通信ポートとを同時に使用することが可能となり、サービスマン用途の機能拡張を実現することが可能となる。
【００１４】
前記従来の課題及び事情に着目して、請求項第５記載の発明は、請求項１〜４記載の本発明において、拡張可能となった第３の規格に従う通信信号線を使用するか否かを電子機器側の設定により制御することが可能な電子機器装置であり、本構成により、電子機器側の特殊設定を行わない限り、拡張した通信機能を使用することができなくなり、ユーザーによる特殊なカードの挿入による誤動作を防止することが可能となる。
【００１５】
前記従来の課題及び事情に着目して、請求項第６記載の発明は、請求項１〜５記載の本発明に接続可能なカードであって、所定の第１の規格の上位互換性を有するために第２の規格に拡張された信号線と、所定の第１の規格では未使用になっている信号線を利用して接続する第３の規格に従う通信信号線とを切り換えるスイッチを搭載したカードであり、本構成により、ピン数の少ないメモリカードを用いて、通信機能の拡張を実現することが可能となり、各電子機器装置に専用の通信ポートを搭載する必要がなくなり、コストダウンを図ることが可能となる。
【００１６】
前記従来の課題及び事情に着目して、請求項第７記載の発明は、請求項１〜５記載の本発明に接続可能な通信用カードアダプタであって、所定の１の規格、及び第１の規格の上位互換性を有する第２の規格に従う形状のアダプタであり、本構成により、ピン数の少ないメモリカードスロットを用いて通信機能を拡張することが可能となり、各電子機器装置に専用の通信ポートを搭載する必要がなくなり、コストダウンを図ることが可能となる。
【００１７】
前記従来の課題及び事情に着目して、請求項第８記載の発明は、請求項１〜５記載の本発明に接続可能な通信用ケーブルであって、所定の第１の規格、及び第１の規格の上位互換性を有する第２の規格に従う形状のコネクタを有するケーブルであり、本構成により、ピン数の少ないメモリカードスロットを用いて通信機能を拡張することが可能となり、各電子機器装置に専用の通信ポートを搭載する必要がなくなり、コストダウンを図ることが可能となる。
【００１８】
前記従来の課題及び事情に着目して、請求項第９記載の発明は、請求項１〜８記載の本発明において、所定の第１の規格には、ＭｕｌｔｉＭｅｄｉａＣａｒｄが包含されるものであり、本構成により、ピン数の少ないメモリカードスロットを用いて通信機能を拡張することが可能となり、各電子機器装置に専用の通信ポートを搭載する必要がなくなり、コストダウンを図ることが可能となる。
【００１９】
前記従来の課題及び事情に着目して、請求項第１０記載の発明は、請求項２〜８記載の本発明において、所定の第２の規格には、ＳＤＭｅｍｏｒｙＣａｒｄが包含されるものであり、本構成により、ピン数の少ないメモリカードスロットを用いて通信機能を拡張することが可能となり、各電子機器装置に専用の通信ポートを搭載する必要がなくなり、コストダウンを図ることが可能となる。
【００２０】
本明細書において、カードとは、メモリカード、ＣＰＵ及びメモリチップを内蔵するＩＣカード、モデム機能又は外部機器に対してのインターフェイス機能を有するカードを含むものとする。
【００２１】
本明細書において、所定の第１の規格とは、例えば、メモリースティック、スマートメディアカード、コンパクトフラッシュ（Ｒ）の規格を含むものとする。
【００２２】
本明細書において、所定の第３の規格とは、例えば、ＲＳ−２３２Ｃ、ＩＩＣ、ＵＳＢの規格を含むものとする。
【００２３】
本明細書において、電子機器装置とは、デジタル放送用セットトップボックス、デジタル放送用テレビジョン、デジタルビデオレコーダーなどのデジタル家電電子機器を含むものとする。
【００２４】
【発明の実施の形態】
以下に、本発明の実施の形態について、図面を参照しながら説明する。
【００２５】
（実施の形態１）
図１は本発明の実施の形態１における電子機器装置１とメモリカードＡ２、及び通信用カードアダプタ４のシステム構成図である。
【００２６】
図１において、電子機器装置１は、ＣＰＵ１１、第１の規格に従うメモリカードコントローラＡ１２、第３の規格に従うシリアルコントローラ１４、メモリカードスロット１７、スイッチ１５から構成され、メモリカードスロット１７は、第１の規格に従うメモリカードＡ２及び第３の規格に従う通信用カードアダプタ４が接続可能な構成となっており、さらにスイッチ１５は、メモリカードスロット１７においてメモリカードＡ２では未使用となっている信号線とシリアルコントローラ１４とを接続するか否かを切り換える構成となっている。なお、本発明では、スイッチ１５は、ＣＰＵ１１からの制御によって切り替わるように構成されているが、ユーザーがリモコン等の入力手段（図示せず）を介して切替える構成としても、またメモリカードスロット１７に挿入されたカードを判別して、自動的に切替わる構成にしてもよい。
【００２７】
以上のように構成された電子機器装置１とメモリカードＡ２及び通信用カードアダプタ４について、図１を用いてその動作を説明する。
【００２８】
まず、電子機器装置１内のＣＰＵ１１の制御下でスイッチ１５によりシリアルコントローラ１４とメモリカードスロット１７との接続が切断されている場合は、電子機器装置１は本発明が実施される前と同様に、メモリカードコントローラＡ１２によりメモリカードＡ２へのアクセスが可能である。
【００２９】
次に、電子機器装置１内のＣＰＵ１１の制御下でスイッチ１５によりシリアルコントローラ１４とメモリカードスロット１７との接続がされ、かつ、メモリカードＡ２が接続された場合は、シリアルコントローラ１４はメモリカードＡ２では未使用の信号線を利用しているため、電子機器装置１はシリアルコントローラ１４によりメモリカードＡ２に対して影響を与えることなく、メモリカードコントローラ１４によりメモリカードＡ２へのアクセスが可能である。
【００３０】
更に、電子機器装置１内のＣＰＵ１１の制御下でスイッチ１５によりシリアルコントローラ１４とメモリカードスロット１７との接続がされ、かつ、通信用カードアダプタが接続された場合には、電子機器装置１はシリアルコントローラ１４により通信用カードアダプタ４を介し、汎用通信ポートを有するパーソナルコンピュータ５との通信を行うことができる。
【００３１】
この時、特に図示していないが、通信用カードアダプタ４に第１の規格に従うメモリカード機能が搭載されている場合は、電子機器装置１はメモリカードへのアクセスと外部機器との通信とを同時に行うことも可能となる。
【００３２】
また、特に図示していないが、メモリカードコントローラＡ１２とメモリカードスロット１７との接続間においてもスイッチを搭載し、通信カードアダプタ４接続時には、通信機能では使用しない接続線（第１の規格に従うメモリカードＡ２の接続線）を切り離すことにより、メモリカードコントローラＡ１２から通信用カードアダプタ４への悪影響を防止することも可能である。
【００３３】
このように、電子機器装置１は、メモリカードスロット１７において第１の規格に従うメモリカードＡ２で未使用の信号線を第３の規格に従う通信ポートに接続することにより、メモリカードＡ２へのアクセスを行うだけでなく、通信用カードアダプタを介して通信ポートを有するパーソナルコンピュータ５とも通信を行うことが可能となる。
【００３４】
（実施の形態２）
図２は本発明の実施の形態２おける電子機器装置１ａとメモリカードＡ２、メモリカードＢ３、及び通信用カードアダプタ４のシステム構成図である。
【００３５】
図２において、電子機器装置１ａは、ＣＰＵ１１、第１の規格に従うメモリカードコントローラＡ１２、第１の規格の上位互換性を有する第２の規格に従うメモリカードコントローラＢ１３、第３の規格に従うシリアルコントローラ１４、メモリカードスロット１７、スイッチ１６から構成され、メモリカードスロット１７は、第１の規格に従うメモリカードＡ２、第１の規格の上位互換性を有する第２の規格に従うメモリカードＢ３、及び第３の規格に従う通信用カードアダプタ４が接続可能な構成となっており、さらにスイッチ１６は、メモリカードスロット１７においてメモリカードＡ２では未使用となっている信号線とシリアルコントローラ１４との接続と、メモリカードＢ３でメモリカードＡ２に対して拡張された信号線とメモリカードコントローラＢ１３との接続とを切り換える構成となっている。
【００３６】
以上のように構成された電子機器装置１ａとメモリカードＡ２、メモリカードＢ３、及び通信用カードアダプタ４について、図２を用いてその動作を説明する。
【００３７】
まず、電子機器装置１ａ内のＣＰＵ１１の制御下でスイッチ１６によりメモリカードコントローラＢ１３が選択され、かつ、メモリカードＡ２又はメモリカードＢ３が接続された場合は、電子機器装置１ａは本発明が実施される前と同様に、メモリカードコントローラＡ１２及びメモリカードコントローラＢ１３により、メモリカードＡ２及びメモリカードＢ３へのアクセスが可能であるもの。
【００３８】
次に、電子機器装置１ａ内のＣＰＵ１１の制御下でスイッチ１６によりシリアルコントローラ１４が選択され、かつ、メモリカードＡ２が接続された場合は、シリアルコントローラ１４はメモリカードＡ２では未使用の信号線を利用しているため、電子機器装置１ａはシリアルコントローラ１４によりメモリカードＡ２に対して影響を与えることなく、メモリカードコントローラＡ１２によりメモリカードＡ２へのアクセスが可能である。
【００３９】
更に、電子機器装置１ａ内のＣＰＵ１１の制御下でスイッチ１６によりシリアルコントローラ１４が選択され、かつ、通信用カードアダプタが接続された場合には、電子機器装置１ａはシリアルコントローラ１４により通信用カードアダプタ４を介し、汎用通信ポートを有するパーソナルコンピュータ５との通信を行うことができる。
【００４０】
この時、特に図示していないが、通信用カードアダプタ４に第１の規格に従うメモリカード機能が搭載されている場合は、電子機器装置１はメモリカードへのアクセスと外部機器との通信とを同時に行うことも可能となる。
【００４１】
また、特に図示していないが、メモリカードコントローラＡ１２とメモリカードスロット１７との接続間においてもスイッチを搭載し、通信カードアダプタ４接続時には、通信機能では使用しない接続線（第１の規格に従うメモリカードＡ２の接続線）を切り離すことにより、メモリカードコントローラＡ１２から通信用カードアダプタ４への悪影響を防止することも可能である。
【００４２】
このように、電子機器装置１ａは、メモリカードスロット１７において第１の規格の上位互換性を有する第２の規格で拡張された信号線と第１の規格に従うメモリカードＡ２で未使用の信号線を第３の規格に従う通信ポートとを切り換えるスイッチを有することにより、メモリカードスロット１７にメモリカードＡ２、メモリカードＢ３だけでなく、通信用カードアダプタを介して通信ポートを有するパーソナルコンピュータ５とも通信をすることができる。
【００４３】
（実施の形態３）
図３は本発明の実施の形態１をより具体的に説明した実施の形態３における電子機器装置とメモリカード及び通信ケーブルのシステム構成図であり、本発明における第１の規格に従うカードをＭｕｌｔｉＭｅｄｉａＣａｒｄ７、本発明における第３の規格をＲＳ−２３２Ｃ、本発明における第１の規格に従うカードが接続可能なカードスロットをＳＤカードソケット６７、さらに、特に図示していないが本発明における第１の規格の上位互換性を有する第２の規格に従うカードをＳＤＭｅｍｏｒｙＣａｒｄとして構成したものである。
【００４４】
図３において、電子機器装置６は、ＣＰＵ６１、第１の規格に従うメモリカードコントローラとしてＭＭＣコントローラ６２、第３の規格に従うシリアルコントローラとしてＲＳ−２３２Ｃコントローラ６４、第１の規格のカードが接続可能なカードスロットとしてＳＤメモリカードソケット６７、スイッチ６５から構成され、ＳＤメモリカードソケット６７は、ＳＤＭｅｍｏｒｙＣａｒｄの下位互換性であるＭｕｌｔｉＭｅｄｉａＣａｒｄ７、ＳＤＭｅｍｏｒｙＣａｒｄと形状互換性をもったＲＳ−２３２Ｃに従う通信ケーブル８、及び特に図示はしていないがＳＤＭｅｍｏｒｙＣａｒｄが接続可能な構成となっており、更にスイッチ６５はＳＤカードソケット６７においてＭｕｌｔｉＭｅｄｉａＣａｒｄ７では未使用の２本の信号（ＤＡＴ１、ＤＡＴ２）とＲＳ−２３２Ｃコントローラ６４との接続の有無を切り換える構成となっている。
【００４５】
以上のように構成された電子機器装置６とＭｕｌｔｉＭｅｄｉａＣａｒｄ７、及び通信ケーブル８について図３を用いてその動作を説明する。
【００４６】
先ず、電子機器装置６内のＣＰＵ１１の制御下でスイッチ６５によりＲＳ−２３２Ｃコントローラ６４とＳＤカードソケット６７の接続が切断されている場合は、ＳＤカードソケット６７はＭＭＣコントローラ６２と電源、グランドを含む７本の信号線のみが電気的に接続されており、ＳＤカードソケット６７にＭｕｌｔｉＭｅｄｉａＣａｒｄ７を挿入することにより、電子機器装置６は本発明が実施される前と同様に、ＭＭＣコントローラ６２によりＭｕｌｔｉＭｅｄｉａＣａｒｄ７へのアクセスが可能である。
【００４７】
次に、電子機器装置６内のＣＰＵ１１の制御下でスイッチ６５によりＲＳ−２３２Ｃコントローラ６４とＳＤカードソケット６７が接続され、かつ、ＳＤカードソケット６７にＭｕｌｔｉＭｅｄｉａＣａｒｄ７が接続された場合は、ＲＳ−２３２Ｃコントローラ６３はＳＤカードソケット６７と電気的には接続されているものの、ＭｕｌｔｉＭｅｄｉａＣａｒｄ７で未使用の信号線を利用しているため、電子機器装置６はＲＳ−２３２Ｃコントローラ６４によりＭｕｌｔｉＭｅｄｉａＣａｒｄ７に対して影響を与えることなく、ＭＭＣコントローラ６２によりＭｕｌｔｉＭｅｄｉａＣａｒｄ７へのアクセスが可能である。
【００４８】
更に、電子機器装置６内のＣＰＵ１１の制御下でスイッチ６５によりＲＳ−２３２Ｃコントローラ６４とＳＤカードソケット６７が接続され、かつ、ＳＤカードソケット６７に通信ケーブル８が接続された場合は、電子機器装置６はＲＳ−２３２Ｃコントローラ６４により通信ケーブル８を介して汎用通信ポートを有するパーソナルコンピュータ５との通信を行うことができる。
【００４９】
また、図４は、本発明の実施の形態３におけるメモリカードと通信ケーブルを融合したカードの構成図であり、ＳＤＭｅｍｏｒｙＣａｒｄと端子形状で互換性を持つＲＳ−２３２Ｃケーブル付きカード１０は、ＳＤＭｅｍｏｒｙＣａｒｄの下位互換性を持つＭｕｌｔｉＭｅｄｉａＣａｒｄ７では未使用の２本の端子をＲＳ−２３２Ｃ信号線として利用し、ＭｕｌｔｉＭｅｄｉａＣａｒｄ７端子側の反対側に設けられたケーブルを介してＲＳ−２３２Ｃコネクタと接続する構成である。ＭＭＣコントローラ６２の電源を含む７本の信号線とＲＳ−２３２Ｃコントローラ６４の２本の信号線は独立しているため、ＲＳ−２３２Ｃケーブル付きカード１０がＳＤカードソケット６７に接続された場合は、メモリカードへのアクセスと通信機能とを同時に行うことも可能となる。
【００５０】
このように、電子機器装置６は、ＳＤカードソケット６７においてＭｕｌｔｉＭｅｄｉａＣａｒｄ７で未使用の信号線をＲＳ−２３２Ｃに従う通信ポートに接続することにより、カードスロットの小型化を保ったままで、ＳＤカードソケット６７にＭｕｌｔｉＭｅｄｉａＣａｒｄ７とのアクセスだけでなく、通信ケーブル８を介して通信ポートを有するコンピュータ５とも通信することが可能となる。
【００５１】
【発明の効果】
以上のように、本発明のカードスロット付電子機器装置によれば、一つのカードスロットに異なる規格のメモリカードや通信アダプタ、通信ケーブルを省スペースかつ安価に接続することができる。
【図面の簡単な説明】
【図１】本発明の実施の形態１における電子機器装置とメモリカード及び通信用カードアダプタのシステム構成図
【図２】実施の形態２おける電子機器装置１ａとメモリカードＡ２、メモリカードＢ３、及び通信用カードアダプタ４のシステム構成図
【図３】本発明の実施の形態１をより具体的に説明した実施の形態３における電子機器装置とメモリカード及び通信ケーブルのシステム構成図
【図４】図４は、本発明の実施の形態３におけるメモリカードと通信ケーブルを融合したカードの構成図
【図５】従来の情報処理装置のシステム構成図
【符号の説明】
１、１ａ  電子機器装置
２  第１の規格に従うメモリカードＡ
３  第２の規格に従うメモリカードＢ
４  第３の規格に従う通信用カードアダプタ
５  第３の規格に従う通信ポートを有するパーソナルコンピュータ
７  ＭｕｌｔｉＭｅｄｉａＣａｒｄ
８  通信ケーブル
１０  ＲＳ−２３２Ｃケーブル付きカード
１１、６１  ＣＰＵ
１２  第１の規格に従うメモリカードコントローラＡ
１３  第２の規格に従うメモリカードコントローラＢ
１４  第３の規格に従うシリアル通信コントローラ
１５、６５  第３の規格を使用するか否かを切り換えるスイッチ
１６  信号線切り換え用スイッチ
１７  メモリカードスロット
１８  第１の規格では未使用の信号線
２１  第１の規格に従うメモリカードＡの端子
３１  第２の規格に従うメモリカードＢの端子
４１  第３の規格に従う通信用カードアダプタの端子
４２  第３の規格に従うシリアル通信ポート
５１  パーソナルコンピュータとの接続用ＲＳ−２３２Ｃコネクタ
６２  ＭＭＣコントローラ
６４  ＲＳ−２３２Ｃコントローラ
６７  ＳＤカードソケット
【図１】
2004289752.tif 000003
【図２】
2004289752.tif 000004
【図３】
2004289752.tif 000005
【図４】
2004289752.tif 000006
【図５】
2004289752.tif 000007